(57)【要約】【課題】  本発明の記録装置は、指が滑る恐れを防止した把手を備え、取扱い性を向上させた記録装置を提供する。【解決手段】  記録装置の背面に把手を備える。その把手は、本体の背面側の板金にスリットを複数設け、そこに通し、両端部を固定する。ベルトは、中央部が外側に突出し、その部分を使用者が掴む把手となっている。スリットを鉛直方向に沿って設け、ベルトの幅方向を鉛直方向にする。また、スリットによって、ベルトが規制されるので、使用者がベルトを掴んでも捩じれずに、力を伝達しやすい構造になっている。横たわっている記録装置を、この把手を掴んで持ち上げることで、容易に自立させる位置にすることができる。【選択図】  図１
2014237307.tif 000002
【特許請求の範囲】
【請求項１】
記録媒体に画像を記録する記録手段を備える本体部と、前記本体部の下部に着脱可能に取り付け、前記本体部を支持する脚部を備える記録装置において、
前記本体部の背面に複数のスリットと前記スリットに通された把手とを有し、
前記把手が前記背面に対して垂直方向の高さが可変することを特徴とする記録装置。
【請求項２】
前記把手はベルトであり、
前記スリットは前記記録装置を自立させた場合に鉛直方向に沿って平行に配置され、
前記ベルトは、端部が前記本体部に固定され、少なくとも１か所で前記外側に前記ベルトが突出するように前記本体部の内側と外側を交互に通るように前記スリットに通されていることを特徴とする請求項１に記載の記録装置。
【請求項３】
前記脚部には、前記脚部の滑りを防止するストッパーが備わり、前記記録装置を自立させたときに設置面に対して前記ストッパーが接することを特徴とする請求項１または請求項２に記載の記録装置。
【請求項４】
前記スリットは少なくとも８か所設けられ、少なくとも前記ベルトの２個所が前記背面に対して外側に突出し、前記ベルトの両端部が前記背面の外側で固定されていることを特徴とする請求項１から請求項３の何れか１項に記載の記録装置。
【請求項５】
前記記録装置を収納する梱包箱と、前記梱包箱の底面に固定された台と、を更に有し、
前記本体部の前記背面の一部が前記台に固定され、前記本体部が前記梱包箱の中で前記背面と前記底面とが対向する位置に収納されていることを特徴とする請求項１から請求項４の何れか１項に記載の記録装置。
【請求項６】
前記把手が前記背面に対して平行方向に移動することを特徴とする請求項１から請求項５の何れか１項に記載の記録装置。
【請求項７】
記録媒体に画像を記録する記録手段を備える本体部と、前記本体部の下部に着脱可能に取り付け、前記本体部を支持する脚部を備える記録装置の組み立て方法において、
前記記録装置は、前記本体部の背面に配置された複数のスリットと、前記スリットに通された把手と、を有し、前記脚部は、前記記録装置を立てた時に設置面に接するキャスターと、前記キャスターの外周に設けられたストッパーと、を有し、前記記録装置が梱包箱に梱包されている状態では、前記本体部から前記脚部が離されており、前記本体部の背面の一部が前記梱包箱の底面に設置された台に載置され固定されており、
前記記録装置を組み立てる場合に、
前記本体部に前記脚部を前記設置面に接触させない位置に固定する工程と、
操作者が前記把手を持って前記本体部を持ち上げ、前記ストッパーを前記設置面に当接させる工程と、
前記設置面に当接している前記ストッパーを支点として更に前記本体部を持ち上げ、前記記録装置を立てる工程と、
を有することを特徴とする組み立て方法。
【発明の詳細な説明】
【技術分野】
【０００１】
本発明は、記録媒体に画像を記録する記録装置および記録装置の組み立て方法に関する。
【背景技術】
【０００２】
従来から、ホストコンピュータから受信した画像データを記録媒体に記録する画像記録装置が広く知られている。例えばインクジェットプリンターである。インクジェットプリンターは、家庭用、オフィス用など様々な分野で使用されている。
【０００３】
また、インクジェットプリンターは、紙やプラスチックフィルムなどの様々な記録媒体にインクを吐出して記録を行うことができるので、屋外に置かれる表示物などの記録のための物もある。屋外に置かれる場合は、風雨や日光の影響で色が褪せたり落ちたりすることを抑えるために、溶剤系のインクが用いられて、例えば記録媒体として塩化ビニールのフィルム等に記録が行われる。また、これらの記録物を記録するインクジェットプリンターは、幅が１ｍ以上ある大型のもが使用される。このような大型のインクジェットプリンターは数百キログラムの重さがあり、記録媒体に記録する本体部と、その本体部を支持する脚部を備える。
【０００４】
そのため、梱包から取出し、インクジェットプリンターを組み立てる場合や、インクジェットプリンターを持ち上げたりするとき用いる把手が設けられている場合がある。
例えば、本体に把手の備わるプリンターが、特開２００４−８２６１５号公報に記載があり、この把手部分に指を掛けて、プリンターを持ち上げることができるようになっている。
【先行技術文献】
【特許文献】
【０００５】
【特許文献１】特開２００４−８２６１５号公報
【発明の概要】
【発明が解決しようとする課題】
【０００６】
従来技術では、把手部分が、筐体の下部等に設けた窪みから構成されている。そのため、指を掛ける程度のものである。手によって把手を握りしめることができない。
例えば従来技術のように、指を掛けて持上げられる程度の、さほど重くない場合は、把手を握りしめなくても良いが、それでも、指が滑ることで、持ち上げた時に落としてしまう恐れがある。
【０００７】
さらに、重いプリンターの場合は、指で支えることが困難であり、また、指が滑る可能性は更に高まり、危険である。
例えば、指を掛けるだけのものの場合に、指を挿入する方向にプリンターが傾いた場合に、指が外れ易い。そのため、傾くのを防止するためにさらに、補助をする者が必要になる。
【課題を解決するための手段】
【０００８】
本発明の記録装置は、指が滑る恐れを防止した把手を備え、取扱い性を向上させた記録装置を提供する。
本発明の記録装置は、記録媒体に画像を記録する記録手段を備える本体部と、前記本体部の下部に着脱可能に取り付け、前記本体部を支持する脚部を備える記録装置において、前記本体部の背面に複数のスリットと前記スリットに通された把手とを有し、前記把手が前記背面に対して垂直方向の高さが可変することを特徴とする。
【０００９】
また、本発明の組み立て方法は、記録媒体に画像を記録する記録手段を備える本体部と、前記本体部の下部に着脱可能に取り付け、前記本体部を支持する脚部を備える記録装置の組み立て方法において、前記記録装置は、前記本体部の背面に配置された複数のスリットと、前記スリットに通された把手と、を有し、前記脚部は、前記記録装置を立てた時に設置面に接するキャスターと、前記キャスターの外周に設けられたストッパーと、を有し、前記記録装置が梱包箱に梱包されている状態では、前記本体部から前記脚部が離されており、前記本体部の背面の一部が前記梱包箱の底面に設置された台に載置され固定されており、前記記録装置を組み立てる場合に、前記本体部に前記脚部を前記設置面に接触させない位置に固定する工程と、操作者が前記把手を持って前記本体部を持ち上げ、前記ストッパーを前記設置面に当接させる工程と、前記設置面に当接している前記ストッパーを支点として更に前記本体部を持ち上げ、前記記録装置を立てる工程と、を有することを特徴とする。
【発明の効果】
【００１０】
本願発明によれば、把持性が向上した把手を備えることで、指が滑る恐れを防止し、記録装置の取扱い性を向上させることができる。
【図面の簡単な説明】
【００１１】
【図１】図１は、記録装置の背面側の図である。
【図２】図２は、記録装置の全体を示す概略図である。
【図３】図３は、記録装置の取り扱い例を説明する図である。
【図４】図４は、記録装置を立てたときの例を示す図である。
【図５】図５は、記録装置の梱包の例を説明する図である。
【図６】図６は、把手部を説明する図である。
【図７】図７は、把手部の別の例を説明する図である。
【図８】図８は、把手部の可動の例を説明する図である。
【発明を実施するための形態】
【００１２】
図面を用いて、本発明の実施形態を説明する。
図１は、インクジェットプリンター１の背面側を示す図である。インクジェットプリンター１は本体部２と脚部３を備える。
【００１３】
本体部２は、紙、プラスチックフィルムなどの記録媒体に画像を記録するインクジェットヘッドを備える記録手段が備わる。脚部３は本体部２を、左右２カ所で支える。脚部３は２本の立設部４と、それらを接続する梁部５を備える。
【００１４】
本体部２の背面の上方には、左右に把手６、把手７が備わる。把手６、７が固定されている部分は、金属の板である。把手６は１本のベルト８を本体２に固定している。本体部２に８カ所のスリット９が設けられ、ベルト８の両端をビス１０によって固定している。紙面左側のビス１０によって固定されたベルト８は、一番左側のスリット９から本体部２の中にいれ、次のスリット９から外に出し、これを交互に繰り返し、右端のスリット９から外に出し、ベルト９の右端でビス１０によって本体部２に固定される。ベルト８の長さは、固定しているビス１０間の距離より長く、第１把持部１１及び第２把持部１２の部分で外側に突出できる。また、ベルト８は、中央部でビス１３によって本体部２に固定されている。ベルト８を把手として使用する場合に、第１把持部１１及び第２把持部１２を本体部２の内部から引き出し、また、使用しない場合には本体部２の内部に押し入れて収納することができる。把手７も把手６と同様に構成されている。両側に夫々第１把持部１１と第２把持部１２を備えることで、片側一人、合計二人で支えるときに、夫々の者が両手でしっかりと第１把持部１１と第２把持部１２の把手を握ることができるので、指を滑らせる事故を防止できる。
【００１５】
ベルト８は、織物によるベルト、皮革のベルトなど、扁平な物を用いることができる。また、ベルト８はビスなどの固定手段によって端部が本体部２の背面の板金に固定される。
【００１６】
図２は、記録装置の全体を示す概略図である。正面側の斜め上方から示した図である。  立設部４の下方は、インクジェットプリンター１の長手方向に対して垂直方向に延びている部分が有り、安定して立つことができるようにしている。その端部にはキャスター１６、キャスター１７が夫々設けられている。本体部２には、カバー１４が備わり、その奥にプラテン、記録媒体の搬送手段、インクジェットヘッドを搭載するキャリッジ等の記録手段が収容されている。ペーパーガイド１５は、記録後の記録媒体を案内し、内蔵のヒーターによって加熱してインクの乾燥、定着を促進させる。カートリッジ収納部１８は、インクジェットヘッドに供給するインクを内蔵したインクカートリッジを収納している。インクカートリッジからチューブを介してインクジェットヘッドにインクが供給される。搬送手段によってプラテンに搬送された記録媒体に、キャリッジが往復走査し、インクジェットヘッドからインクを吐出することで画像を記録する。
【００１７】
図３は、記録装置の取り扱い例を説明する図である。インクジェットプリンター１が、本体部２の背面を下側にして横たわっている状態の図である。
台２１は、床などの設置面２０に置かれている。点線で描かれている台２１に、本体部２の背面の扁平部２２が接し、脚部３が設置面２０から持ち上がった状態で横たわっている。
【００１８】
本体部２の背面の最も外側に出ている部分からベルト８が固定されている面までの距離を矢印２７で示している。このように、背面の少し窪んでいる位置にベルト８が固定されている。この隙間が有ることで、例えば、台２１がベルト８の下側まである場合に、手を入れることができる。隙間が有るので安全である。また、ベルト８はこの矢印２７で示した距離よりも突出する部分が低くなっている。
【００１９】
立設部４の下部の本体の前後に延びた部分の片側にはキャスター１６が、別の片側にはストッパー２３付のキャスターが備わっている。また、設置面固定手段２４、２５が備わっている。設置面固定手段２４、２５は、ネジを回すことで、伸縮する。インクジェットプリンター１を立てたときに、ネジを回して設置固定手段２４及び２５を設置面２０に当接させる。キャスター１６、１７が付いていても、インクジェットプリンター１が動かなくなる。また、ストッパー２３は、キャスターの外周を覆うベルトであり、キャスターをベルトで覆うことで、キャスターのコロが回転しないようになっている。ベルトの外周はゴムであり、また、好ましくは滑り防止の溝が彫られている。
【００２０】
使用者が、ベルト８、すなわち把手６、７を握って、矢印２６方向に持ち上げると、まず、ストッパー２３付のキャスターが設置面２０に当接する。当接しても、キャスターは動かず、その場にとどまり、更に本体部２を持ち上げることで、台２１から本体部２が離れ、更にキャスター１６が設置面２０に当接し、インクジェットプリンター１が立つ。使用者は、しっかりと把手６、７を持つことができるので、手を滑らせる危険性がなくなる。また、ストッパー２３があるので、最初にストッパー２３が設置面２０に当接した位置を支点として、持ち上げることができるので、立てやすくなる。
【００２１】
また、インクジェットプリンター１が立った時に、勢い余って、反対側に倒れそうに傾斜するばあいでも、把手６、７を握っているので、引いて支えることができる。
仮に、従来のような窪みだけの場合は、指が外れてしまい、インクジェットプリンター１が転倒してしまう可能性が高いので、補助の者がインクジェットプリンター１の左右で支える必要があり、操作性が悪い。
【００２２】
図４は、記録装置を立てたときの例を示す図である。設置面２０に立てた後に、ストッパー２３を外して、インクジェットプリンター１を移動させる。すなわち、キャスターで立たせる。その後、設置面固定手段２４、２５のネジを回して、設置面固定手段２４、２５を設置面に当接させ、固定する。
【００２３】
図５は、記録装置の梱包の例を説明する図である。点線で示された梱包箱３０の中に台２１及び台３１に本体部２が載置され、固定されている。また、脚部３は、本体部２とは着脱できるので、本体部２から外されて梱包される。そして、接続する場合は、脚部３は複数のネジ３２、３３で本体部２に固定される。一点鎖線の矢印３４、３５で示された方向に固定される。設置面２０に対して本体部２の背面が平行になるように梱包されている。
この梱包を解いて、梱包箱３０を取り除き、脚部３を本体部２に接続した図が先に説明した図３に相当する。その場合に、ベルト８が把持可能ならば、台３１があってもよい。
【００２４】
図６は、把手部を説明する図である。ベルト８は本体部２の背面の板金にビス１０、１３によって固定されている。また、第１把持部１１及び第２把持部１２は背面から吐出していて、手で握れるようになっている。インクジェットプリンター１を立てたときの鉛直方向に沿って、スリット９が形成されている。スリット９の長手方向は夫々が平行である。そこに、スリット９の長手方向の長さに対応する幅のベルト８が通されている。このよに、スリット９によってベルト８が規制されているので、ベルト８が撚れることがなく適正に力を伝えることができる。
【００２５】
また、インクジェットプリンター１を立てた後に、ビス１０、１３を外して、ベルト８を取り除くこともできる。そうすれば、インクジェットプリンター１の使用時の邪魔にならない。
【００２６】
第１把持部１１及び第２把持部１２の両側で、ベルト８は本体部２の中を通り、外側に出て固定されている。このように、スリット９に少なくとも２回通すことで、ベルト８の幅方向をスリット９によって規制し、撚れを防いでいる。スリット９の長手方向に力が加わっても撚れないので、力が伝わりやすい。
【００２７】
図７は、把手部の別の例を説明する図である。スリット９に把手３６が取り付けられている図である。２個所のスリット９に把手の端部が挿入され、挿入された部分が本体部２の背面の板金に対して平行になるように曲がっている。そのため、把手３６がスリット９から抜けることが無い。図では、Ｌ字型に曲げてあるが、Ｔ字型にしてもよい。使わない時には、把手３６を押して、本体部２の内部に押し込むことができる。
【００２８】
図８は、把手部の可動の例を説明する図である。インクジェットプリンター１の背面部４３から突出している把手３６は、さらに上下に移動することができる。把手３６の第１位置４０は把手３６に力が加わっていない場合の位置である。第２位置４１は把手３６に上方向の力が加わった時に変形した場合を示している。第３位置４２は把手３６に下方向の力が加わった時に変形した場合を示している。このように加わる力に応じて、把手３６は変形をする。このように可変可能であることにより、例えば、設置面にプリンター１が直立した状態から前方に傾いた場合に、把手３６を掴んで設置面に平行方向に引くことができる。すなわち、把手３６の持ち方を変えずに傾いたプリンター１を支えることができる。仮に把手３６が撓まなかった場合に把手３６はプリンター１の傾き方向と平行に突出した状態のままとなる。この場合は、段階的に把手３６の持ち方をずらしていかなければならず、支え方が不安定となる恐れがある。把手３６を上下に稼働できるようにすることで、インクジェットプリンター１が傾いた場合に支えやすくなる。
【産業上の利用可能性】
【００２９】
本発明は、記録媒体に画像を記録する記録装置に利用できる。
【符号の説明】
【００３０】
１  インクジェットプリンター
２  本体部
３  脚部
４  立設部
５  梁部
６  把手
７  把手
８  ベルト
９  スリット
１０  ビス
１１  第１把持部
１２  第２把持部
【図１】
2014237307.tif 000003
【図２】
2014237307.tif 000004
【図３】
2014237307.tif 000005
【図４】
2014237307.tif 000006
【図５】
2014237307.tif 000007
【図６】
2014237307.tif 000008
【図７】
2014237307.tif 000009
【図８】
2014237307.tif 000010